【事件の表示】
　特許第３１７５３６４号「画像処理方法及び装置」の請求項１ないし１１に係る特許に対する特許異議の申立てについて、次のとおり決定する。
【結　論】
　訂正を認める。
　特許第３１７５３６４号の請求項１ないし１０に係る特許を維持する。
【理　由】
１．手続の経緯
　特許第３１７５３６４号の請求項１〜１１に係る発明は、平成４年１２月２１日に特許出願され、平成１３年４月６日にその特許権の設定登録がなされたものであり、その後特許異議申立人相原光政より全請求項に対して特許異議の申立てがなされ、当審より全請求項に対して特許異議の申立の理由と同旨の取消理由が通知され、その指定期間内である平成１４年５月２２日付けで特許権者より意見書が提出され、当審より全請求項に対して再度の取消理由が通知され、その指定期間内である平成１４年６月１９日付けで特許権者より訂正請求書が提出されたものである。
　
２．訂正の可否についての判断
(1)特許権者が訂正請求書において求めた訂正の内容は、次のとおりである。
(a)　本件明細書の発明の名称、「画像処理方法および装置」を「複写機及び当該複写機において実行される画像処理方法」と訂正する。
(b)　本件明細書の特許請求の範囲の請求項１に係る記載、
　　「【請求項１】 符号画像データが含まれる画像データを入力し、入力された画像データを可視化して出力する画像処理方法において、
　入力された画像データに含まれる符号画像データを抽出する抽出ステップと、
　抽出された符号画像データに基づいて、当該画像データの元となったオリジナル原稿を探し出すための情報を出力する出力ステップと、
を有することを特徴とする画像処理方法。」
を、
　　「【請求項１】　オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において実行される画像処理方法において、
　入力された画像データに含まれる符号画像データを抽出する抽出ステップと、
　抽出された符号画像データに基づいて、当該画像データの元となったオリジナル原稿を探し出すための情報を出力する出力ステップと、
　を有することを特徴とする画像処理方法。」
と訂正する。
(c)　本件明細書の特許請求の範囲の請求項７を削除する。
(d)　本件明細書の特許請求の範囲の請求項８に係る記載、
　「【請求項８】 符号画像データが含まれる画像データを入力し、入力された画像データを可視化して出力する画像処理装置において、
入力された画像データに含まれる符号画像データを抽出する抽出手段と、
抽出された符号画像データに基づいて、当該画像データの元となったオリジナル原稿を探し出すための情報を表示する表示手段と、
を有することを特徴とする画像処理装置。」
を、
　「【請求項７】　オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において、
　入力された画像データに含まれる符号画像データを抽出する抽出手段と、
　抽出された符号画像データに基づいて、当該画像データの元となったオリジナル原稿を探し出すための情報を表示する表示手段と、
　を有することを特徴とする複写機。」
と訂正する。
(e)　本件明細書の特許請求の範囲の請求項９に係る記載、
　「【請求項９】　請求項８記載の画像処理装置において、さらに、
オリジナル原稿毎に当該オリジナル原稿を探し出すための情報を記憶する記憶手段を備え、
前記符号画像データに基づいて、前記画像データの元となったオリジナル原稿を探し出すための情報を前記記憶手段から検索し、検索された情報を前記表示手段により表示することを特徴とする画像処理装置。」
を、
　「【請求項８】　請求項７記載の複写機において、さらに、
　オリジナル原稿毎に当該オリジナル原稿を探し出すための情報を記憶する記憶手段を備え、
　前記符号画像データに基づいて、前記画像データの元となったオリジナル原稿を探し出すための情報を前記記憶手段から検索し、検索された情報を前記表示手段により表示することを特徴とする複写機。」
と訂正する。
(f)　本件明細書の特許請求の範囲の請求項１０に係る記載、
　「【請求項１０】 請求項９記載の画像処理装置において、
　前記記憶手段はオリジナル原稿毎に当該オリジナル原稿を探し出すための情報を識別コードに対応して記憶し、前記符号画像データは前記識別コードを符号化したものであり、
　前記表示手段は符号画像データから識別コードを復元する復元手段を含み、前記表示手段は復元された識別コードに対応付けられたオリジナル原稿を探し出すための情報を前記記憶手段から検索し、検索された情報を表示することを特徴とする画像処理装置。」
を、
　「【請求項９】　請求項８記載の複写機において、
　前記記憶手段はオリジナル原稿毎に当該オリジナル原稿を探し出すための情報を識別コードに対応して記憶し、
　前記符号画像データは前記識別コードを符号化したものであり、
　前記表示手段は符号画像データから識別コードを復元する復元手段を含み、
　前記表示手段は復元された識別コードに対応付けられたオリジナル原稿を探し出すための情報を前記記憶手段から検索し、検索された情報を表示することを特徴とする複写機。」
　と訂正する。
(g)　本件明細書の特許請求の範囲の請求項１１に係る記載、
　「【請求項１１】　請求項１０記載の画像処理装置において、さらに、
外部から与えられるオリジナル原稿を探し出すための情報を受け入れる情報入力手段と、受け入れたオリジナル原稿を探し出すための情報に識別コードを付与し、当該情報と当該識別コードとを対応付けて前記記億手段に記憶する記憶制御手段と、
を備えたことを特徴とする画像処理装置。」
を、
　「【請求項１０】　請求項９記載の複写機において、さらに、
　外部から与えられるオリジナル原稿を探し出すための情報を受け入れる情報入力手段と、
　受け入れたオリジナル原稿を探し出すための情報に識別コードを付与し、当該情報と当該識別コードとを対応付けて前記記憶手段に記憶する記憶制御手段と、
　を備えたことを特徴とする複写機。」
と訂正する。
(h)　本件明細書の発明の詳細な説明の段落番号０００１の記載、
　「【発明の属する技術分野】
　　本発明は、ハードコピー画像の複製などに際して好適な新規の画像処理方法および装置に関する。」
を、
　「【発明の属する技術分野１
　　本発明は、ハードコピー画像の複製などに際して好適な新規の複写機及び当該複写機において実行される画像処理方法に関する。」
と訂正する。
(i)　本件明細書の発明の詳細な説明の段落番号００１０の記載、
　「【００１０】
　【課題を解決するための手段】
　　上記の目的を達成するために、本発明に係る方法は、符号画像データが含まれる画像データを入力し、入力された画像データを可視化して出力する画像処理方法において、入力された画像データに含まれる符号画像データを抽出する抽出ステップと、抽出された符号画像データに基づいて、当該画像データの元となったオリジナル原稿を探し出すための情報を出力する出力ステップと、を有する。好ましい実施形態によると、前記出力ステップにおいて、オリジナル原稿を探し出すための情報を、抽出された符号画像データに基づき、ネットワークを介して接続された外部の機器から受け取って出力する。また、前記出力ステップにおいて、オリジナル原稿を探し出すための情報を表示手段により表示する。また、前記出力ステップにおいて、前記表示手段による表示は、前記画像データの可視化の前に行われる。また、前記画像データの入力は、原稿を読み取ることにより行われる。また、前記符号画像データの抽出は、前記画像データの濃度に基づいて行われる。また、前記符号画像データは、可視化して出力される画像データの一部に組み入れるように埋め込まれている。」
　を、
　「【００１０】
　【課題を解決するための手段】
　　上記の目的を達成するために、本発明に係る方法は、オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において実行される画像処理方法において、入力された画像データに含まれる符号画像データを抽出する抽出ステップと、抽出された符号画像データに基づいて、当該画像データの元となったオリジナル原稿を探し出すための情報を出力する出力ステップと、を有する。好ましい実施形態によると、前記出力ステップにおいて、オリジナル原稿を探し出すための情報を、抽出された符号画像データに基づき、ネットワークを介して接続された外部の機器から受け取って出力する。また、前記出力ステップにおいて、オリジナル原稿を探し出すための情報を表示手段により表示する。また、前記出力ステップにおいて、前記表示手段による表示は、前記画像データの可視化の前に行われる。また、前記画像データの入力は、原稿を読み取ることにより行われる。また、前記符号画像データの抽出は、前記画像データの濃度に基づいて行われる。」
と訂正する。
(j)　本件明細書の発明の詳細な説明の段落番号００１１の記載、
　「【００１１】
　本発明に係る装置は、符号画像データが含まれる画像データを入力し、入力された画像データを可視化して出力する画像処理装置において、入力された画像データに含まれる符号画像データを抽出する抽出手段と、抽出された符号画像データに基づいて、当該画像データの元となったオリジナル原稿を探し出すための情報を表示する表示手段と、を有する。好ましい実施形態によると、さらに、オリジナル原稿毎に当該オリジナル原稿を探し出すための情報を記憶する記憶手段を備え、前記符号画像データに基づいて、前記画像データの元となったオリジナル原稿を探し出すための情報を前記記憶手段から検索し、検索された情報を前記表示手段により表示することを特徴とする。また、前記記憶手段はオリジナル原稿毎に当該オリジナル原稿を探し出すための情報を識別コードに対応して記憶し、前記符号画像データは前記識別コードを符号化したものであり、前記表示手段は符号画像データから識別コードを復元する復元手段を含み、前記表示手段は復元された識別コードに対応付けられたオリジナル原稿を探し出すための情報を前記記憶手段から検索し、検索された情報を表示することを特徴とする。」
　を、
　「【００１１】
　　本発明に係る装置は、オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において、入力された画像データに含まれる符号画像データを抽出する抽出手段と、抽出された符号画像データに基づいて、当該画像データの元となったオリジナル原稿を探し出すための情報を表示する表示手段と、を有する。好ましい実施形態によると、さらに、オリジナル原稿毎に当該オリジナル原稿を探し出すための情報を記憶する記憶手段を備え、前記符号画像データに基づいて、前記画像データの元となったオリジナル原稿を探し出すための情報を前記記憶手段から検索し、検索された情報を前記表示手段により表示することを特徴とする。また、前記記億手段はオリジナル原稿毎に当該オリジナル原稿を探し出すための情報を識別コードに対応して記憶し、前記符号画像データは前記識別コードを符号化したものであり、前記表示手段は符号画像データから識別コードを復元する復元手段を含み、前記表示手段は復元された識別コードに対応付けられたオリジナル原稿を探し出すための情報を前記記憶手段から検索し、検索された情報を表示することを特徴とする。」
と訂正する。
(k)　本件明細書の発明の詳細な説明の段落番号００６２の記載、
　「【００６２】
　【発明の効果】
　　本発明によると、画像データの元となったオリジナル原稿を容易に特定し探し出すことができ、複写機によるドキュメントの複製などに際して、オリジナル原稿に基づく複製物の入手の容易化を図ることができる。また、請求項９に記載の画像処理装置によると、オリジナル原稿を探し出すための情報自体を符号画像として複製原稿に合成しておく必要がなく、オリジナル原稿を探し出すための情報自体が比較的大容量である場合に好都合である。」
を、
　「【００６２】
　【発明の効果】
　　本発明によると、画像データの元となったオリジナル原稿を容易に特定し探し出すことができ、複写機によるドキュメントの複製などに際して、オリジナル原稿に基づく複製物の入手の容易化を図ることができる。また、請求項８に記載の複写機によると、オリジナル原稿を探し出すための情報自体を符号画像として複製原稿に合成しておく必要がなく、オリジナル原稿を探し出すための情報自体が比較的大容量である場合に好都合である。」
と訂正する。
(l)　本件明細書の発明の詳細な説明の段落番号００６３の記載、
　「【００６３】
　更に、請求項１０に記載の画像処理装置によると、符号画像として複製原稿に合成する情報量を小さくすることが容易であり、オリジナル原稿を探し出すための情報自体が比較的大容量である場合に更に好都合である。また、情報量が小さい符号画像とすることが容易である故、複製原稿に複数の符号画像を埋め込むことが容易となり、この場合、複製原稿から符号画像を復元する精度を向上することが可能となる。更にまた、請求項１１に記載の画像処理装置によると、既存のオリジナル原稿だけでなく、新規のオリジナル原稿についても適時にオリジナル原稿を探し出すための情報を追加することができる。」
を、
　「【００６３】
　更に、請求項９に記載の複写機によると、符号画像として複製原稿に合成する情報量を小さくすることが容易であり、オリジナル原稿を探し出すための情報自体が比較的大容量である場合に更に好都合である。また、情報量が小さい符号画像とすることが容易である故、複製原稿に複数の符号画像を埋め込むことが容易となり、この場合、複製原稿から符号画像を復元する精度を向上することが可能となる。更にまた、請求項１０に記載の複写機によると、既存のオリジナル原稿だけでなく、新規のオリジナル原稿についても適時にオリジナル原稿を探し出すための情報を追加することができる。」
と訂正する。
　
(2)訂正の目的の適否、新規事項の有無及び特許請求の範囲の拡張・変更の存否
　(a)は、特許請求の範囲に訂正に合わせて、特許請求の範囲に記載された発明をより的確に表すものであるから、明りょうでない記載の釈明を目的とするものということができる。
　(b)は限定を付加するものであるから特許請求の範囲の減縮に該当し、限定を付加する事項は、特許明細書の【００１２】、【００１９】、【００２６】及び【００５３】に記載されている事項を抽出したものと認められる。
　(c)は、請求項１の訂正に伴い限定が重複することとなる請求項を削除するものであるから、特許請求の範囲に減縮を目的とするものということができる。
　(d)は(b)と同様の限定を付加する点に加えて、画像処理装置について明細書の発明の詳細な説明に実施例として記載されている複写機に発明の対象を限定するものであるから、特許請求の範囲に減縮を目的とするということができ、請求項番号の変更は(c)の訂正に伴う形式的なものである。
　(e),(f)および(g)は、画像処理装置について明細書の発明の詳細な説明に実施例として記載されている複写機に発明の対象を限定するものであるから、特許請求の範囲に減縮を目的とするということができ、請求項番号の変更は(c)の訂正に伴う形式的なものである。
　(h)は、(b)〜(g)の訂正に合わせて明細書の発明の詳細な説明中の本件特許発明の属する技術分野の説明を明りょう化するものであるから、明りょうでない記載の釈明を目的とするものということができる。
　(i)および(j)は、それぞれ(b)〜(g)の訂正に合わせて明細書の発明の詳細な説明中の本件特許発明の構成の説明を明りょう化するものであるから、明りょうでない記載の釈明を目的とするものということができる。
　(k)および(l)は、それぞれ(b)〜(g)の訂正に合わせて明細書の発明の詳細な説明中の本件特許発明の効果の説明を明りょう化するものであるから、明りょうでない記載の釈明を目的とするものということができる。
　そして、(a)〜(l)の訂正はいずれも、特許権設定登録時の明細書に記載されている事項の範囲内のものと認められ、これらの訂正事項は、直接訂正事項として記載されてはいないが訂正対象となっている請求項１並びに請求項７を引用している請求項も含めて、新規事項を含むものとは認められず、また、実質上特許請求の範囲を拡張するものとも変更するものとも認められない。
　
(3)むすび
　以上のとおり、本件訂正は、特許法第１２０条の４第２項及び同条第３項で準用する同法第１２６条第２項及び第３項の規定に適合するので、訂正請求書に記載の訂正を認める。
　
３．特許異議の申立てについて
(1)本件発明
　特許第３１７５３６４号の請求項１ないし１０に係る発明は、訂正明細書の特許請求の範囲の請求項１ないし１０に記載された次のとおりのものである。
「　【請求項１】　オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において実行される画像処理方法において、
　入力された画像データに含まれる符号画像データを抽出する抽出ステップと、
　抽出された符号画像データに基づいて、当該画像データの元となったオリジナル原稿を探し出すための情報を出力する出力ステップと、
　を有することを特徴とする画像処理方法。
　【請求項２】　前記出力ステップにおいて、オリジナル原稿を探し出すための情報を、抽出された符号画像データに基づき、ネットワークを介して接続された外部の機器から受け取って出力する、
　請求項１記載の画像処理方法。
　【請求項３】　前記出力ステップにおいて、オリジナル原稿を探し出すための情報を表示手段により表示する、
　請求項１または２記載の画像処理方法。
　【請求項４】　前記出力ステップにおいて、前記表示手段による表示は、前記画像データの可視化の前に行われる、
　請求項３記載の画像処理方法。
　【請求項５】　前記画像データの入力は、原稿を読み取ることにより行われる、
　請求項１ないし４のいずれかに記載の画像処理方法。
　【請求項６】　前記符号画像データの抽出は、前記画像データの濃度に基づいて行われる、
　請求項１記載の画像処理方法。
　【請求項７】　オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において、
　入力された画像データに含まれる符号画像データを抽出する抽出手段と、
　抽出された符号画像データに基づいて、当該画像データの元となったオリジナル原稿を探し出すための情報を表示する表示手段と、
　を有することを特徴とする複写機。
　　【請求項８】　請求項７記載の複写機において、さらに、
　オリジナル原稿毎に当該オリジナル原稿を探し出すための情報を記憶する記憶手段を備え、
　前記符号画像データに基づいて、前記画像データの元となったオリジナル原稿を探し出すための情報を前記記憶手段から検索し、検索された情報を前記表示手段により表示することを特徴とする複写機。
　【請求項９】　請求項８記載の複写機において、
　前記記憶手段はオリジナル原稿毎に当該オリジナル原稿を探し出すための情報を識別コードに対応して記憶し、
　前記符号画像データは前記識別コードを符号化したものであり、
　前記表示手段は符号画像データから識別コードを復元する復元手段を含み、
　前記表示手段は復元された識別コードに対応付けられたオリジナル原稿を探し出すための情報を前記記憶手段から検索し、検索された情報を表示することを特徴とする複写機。
　【請求項１０】　請求項９記載の複写機において、さらに、
　　外部から与えられるオリジナル原稿を探し出すための情報を受け入れる情報入力手段と、
　受け入れたオリジナル原稿を探し出すための情報に識別コードを付与し、当該情報と当該識別コードとを対応付けて前記記憶手段に記憶する記憶制御手段と、
　を備えたことを特徴とする複写機。
　
(2)特許異議の申立ての理由の概要
　特許異議申立人は、本件請求項１ないし１１に係る発明は、証拠方法として挙げた本件出願日前に頒布された甲第１号証〜甲第５号証に記載された発明に基づいて当業者が容易に発明をすることができたものであるから同法第２９条第２項の規定により特許を受けることができないものであって、その特許は取り消されるべきものである旨主張している。
　
(3)甲第１号証ないし甲第５号証に記載された発明
ア．特許異議申立人が挙げた甲第１号証ないし甲第５号証は次の通りである。
　　甲第１号証：特開平４−３４０８５４号公報（公報発行日：平成４年１１月２７日)
　　甲第２号証：特開平４−２９４６８２号公報(公報発行日：平成４年１０月１９日)
　　甲第３号証：特開昭６０−１５７６４４号公報(公報発行日：昭和６０年８月１７日)
　　甲第４号証：電子情報通信学会論文誌(Ｂ−Ｉ)、ＶＯＬ.Ｊ７２−Ｂ−Ｉ　ＮＯ．３(１９８９‐３‐２５)Ｐ２０８‐Ｐ２１８(平成元年３月２５日)
　　甲第５号証：情報処理学会論文誌ｖｏｌ．２８ Ｎｏ.６ ｐ.７５６−ｐ.７６４　(昭和６２年６月)
　　
イ．甲第１号証〜甲第５号証に記載された発明
（ア）甲第１号証に記載されている発明
　甲第１号証には次のような発明が記載されている。
(a)　「【発明の詳細な説明】
　　　【０００１】
　　【産業上の利用分野】
　本発明は、ＩＳＤＮ回線に接続するファクシミリ通信装置に関するものである。
　　　【０００２】
　　【従来の技術】
　従来のファクシミリ通信装置では、ファクシミリ受信があるごとに受信原稿がプリントアウトされ、受信原稿は取り除かれない限り次々に積み重ねられていく。
　　　【０００３】
　　【発明が解決しようとする課題】
　従って、例えばオフィスなどのように、複数の人が１台の装置を共同で利用する場合には、各人は積み重ねられた受信原稿の中から自分宛のものを捜し出さなければならず、しかも、間違えて他の人宛の受信原稿を自分のものとしてしまうこともある。また、１台の装置を１人が利用する場合でも、多数の受信原稿の中から必要なものだけを取り出すためには、すべての原稿を見なければならず、特に急いで必要なものを取り出そうとする場合に不便である。
　　　【０００４】
　本発明の目的は、このような欠点を除去し、必要な受信原稿を直ちに得られるようにしたファクシミリ通信装置を提供することにあある。
　　　【０００５】
　　【課題を解決するための手段】
　本発明は、ＩＳＤＮ回線を通じてデータを受信するファクシミリ通信装置において、ＩＳＤＮ回線から信号を受け取り、ＩＳＤＮのＤチャネル上のメッセージおよびＩＳＤＮのＢチャネル上の画像データを出力するレイヤ１処理部と、前記画像データの識別情報を前記メッセージから抽出する情報抽出手段と、レイヤ１処理部が出力する前記画像データおよび前記情報抽出部が抽出した前記識別情報を格納するメモリと、前記情報抽出手段が抽出した前記識別情報を表示するディスプレイと、このディスプレイの画面に重ねて配置されたタッチスクリーンと、このタッチスクリーンで指定された前記識別情報に対応する前記画像データを前記メモリから受け取り、画像を印刷する印刷手段とを備えたことを特徴とする。」
(b)　「【００１１】
　受信側の第２のファクシミリ通信装置では、レイヤ１処理部１がＩＳＤＮを通じて受け取った信号から、Ｄチャネル上のメッセージと、Ｂチャネル上の画像データを取り出して出力する。そして制御部２は、このメッセージから原稿識別情報を抽出し、主制御部３はそれを受け取ってディスプレイ５に一覧表示させる。従って、ディスプレイ５には受信原稿の受信者名、送信者名、表題などが表示される。主制御部３はまた、制御部２が抽出した原稿識別情報と、このときレイヤ１処理部１が出力する画像データとを対応させてメモリ７に記憶させる。
　　　【００１２】
　このようにして第２のファクシミリ通信装置では、ファクシミリ受信するごとに画像データおよび対応する原稿識別情報がメモリ７に格納され、また原稿識別情報はディスプレイ５に他の原稿識別情報と共に一覧表示される。
　　　【００１３】
　受信者は、このディスプレイ５の表示を見て自分宛の原稿が受信されている場合には、表題によって必要なものを選択し、それをタッチスクリーン６上でタッチして指定する。これにより、主制御部３は指定された原稿識別情報に対応してメモリ７に記憶されている画像データをメモリ７から出力させ、さらにファクシミリ処理部８にそのプリントアウトを指示する。ファクシミリ処理部８はこの指示を受けると、メモリ７からの画像データを復号し、画像を印刷する。」
(c)　「【００１５】
　　【発明の効果】
　以上説明したように本発明のファクシミリ通信装置では、受信原稿の識別情報をＩＳＤＮのＤチャネルを通じて得、受信原稿の画像データはその識別情報と共にメモリに格納される。そして、ディスプレイに表示された識別情報にもとづいて識別情報が指定されたとき、それに対応する画像データがメモリから読み出され、画像が印刷される。従って、本発明のファクシミリ通信装置では、複数の人が１台の装置を共同で利用する場合でも、各人は積み重ねられた受信原稿の中から自分宛のものを捜し出す必要がなく、ワンタッチで直ちに自分宛の受信原稿を得ることができる。また、間違えて他の人宛の受信原稿を自分のものとしてしまうといったこともなくなる。さらに、１台の装置を１人が利用し、受信原稿が多数ある場合でも、必要なものだけをワンタッチで直ちに得ることができる。」　
　
（イ）甲第２号証に記載されている発明
　甲第２号証には次のような発明が記載されている。
(a)　「【発明の詳細な説明】
　　　【０００１】
　　【産業上の利用分野】
　本発明は、特に複写機等の画像処理装置において、再生画像に特定のパターンを付加する機能を有する装置に関するものである。
　　　【０００２】
　　【従来の技術】
　従来、複写機のカラー化にともない、本来複写されるべきでない特定原稿（例えば証券／紙幣）を、現物とほとんど見分けのつかないような高画質で複写できるようになり、これを悪用されてしまう恐れが生じている。
　　　【０００３】
　　【発明が解決しようとしている課題】
　しかしながら、従来は、本来複写されるべきでない特定原稿の複写がおこなわれ、その複写物が悪用された場合に、複写を行った複写機もしくは、複写した人物を特定することができなかった。
　　　【０００４】
　本発明は、かかる従来技術に鑑みてなされたもので、再生画像から画像処理装置を特定できるようにした画像処理装置を提供することを目的とする。
　　　【０００５】
　　【課題を解決するための手段及び作用】
　上記課題を解決するため本発明の画像処理装置は、フルカラー画像信号を電気的に処理し出力画像信号を得る、画像処理装置であって、前記出力画像信号に、人間の目には識別しにくい特定パターンを付加することを特徴とする。」
(b)　「【００４６】
　ここで、付加するパターンは、人間の目で識別し難い様に、イエローのトナーのみで付加されるが、これは、人間の目が、イエローのトナーで描かれたパターンに対して識別能力が弱いことを利用したものである。更に、入力画像中に、特定原稿の存在する可能性に応じて、付加するパターンのレベルを可変することで、通常の複写物では、パターンが人間の目では殆ど識別できない様にし、特定原稿が存在する可能性が高くなるほど、くっきりとパターンが付加する。
　　　【００４７】
　［複写結果］図１０に本実施例における複写結果の例を示す。１００１で示されるのが付加されたパターンであり、ＲＯＭ９０３に保持されている内容が付加される。図１０に示す例では、“ＡＢＣＤ１２３４”なるパターンが、人間の目には識別し難いように、６４画素×６４画素のパターンで付加され、主走査５１２画素、副走査５１２ラインごとに繰り返される。そこで、これを、機械固有の製造番号もしくは、製造番号を符号化したものとしておくことで、複写物を鑑定することで、複写した装置を限定することができる。」
(c)　「【００５５】
　たとえば、装置使用にあたり、使用者を限定するためのＩＤカードを差し込むことを必要とする装置や、ＩＤ番号を入力することを必要とする装置がすでに公知となっているが、これらの装置においては、認識されたＩＤ番号あるいは、それを符号化したものを特定パターンとして、付加してもよい。」
(d)　「【００６２】
　　【発明の効果】
　以上のように、本発明によれば再生画像からその画像を再生した画像処理装置を特定することができる。」
　
（ウ）甲第３号証に記載されている発明
　甲第３号証には、発明の実施例の説明に先立って次のような記載がある。
 「〔発明の利用分野〕
　　本発明は文書情報などを電子的にファイリングする機能を有するファイリング装置に関する.
　〔発明の背景〕
　　近年、光デイスクなどの大容量記憶装置の開発により、文書などの画像情報を電子的に大量記憶し、紙によるファイリング上の諸問題を解決することが計られつつある。.
　　しかし、従来技術による文書画像の電子的ファイリングを行うと、ファイルした文書のハードコピーを作り加筆して再度電子ファイル化するというサイクルを何回も繰返すうちに、画像の光電変操の際の電子化ノイズにより、画像が次第に劣化してしまうという欠点がある。.
　　また、文書などのファイリングにおいては、配布した資料に各個人が異なったコメントなどの加筆を行うため.多数の重複したフ ァイルを個人毎に保警していることが多い。これは従来技術による電子ファイリングにおいても同じであり、同種の文書画像が重複して記憶され、結果的に余分のファイルスペースを用いているという欠点をもつている。
　〔発明の目的〕
　　本発明の目的は.上記のような欠点をなくして、入出力を繰返しても画像劣化を起こさず、また同種の文書を多重に記憶しなくてもすむファイリング装置を提供することである。
　〔発明の概要〕
　　上記目的を達成するための本発明の基本的な考えは、加筆・修正などのなされた文書画像を入力する際に、元となる原画像はファイルの中にあるのであり、加筆・修正された部分以外は、元の画像で置換するするというものである。これにより、入出力を繰返すことによる画像劣化を防ぐことができる。
　　このためには、原画像と一致する部分と、加筆・修正された部分を画像として分離することが必要となるが、これは原画像と再入力画像の重ね合せをすることにより実現可能である。
　　更に、このように加筆・修正部分を分離することができれば、この部分を別のファイルに電子的に記憶することが可能となる。一般に加筆・修正部分は全体の情報量に比べれば少ないから、一つの文書に多数の人々が各様に加筆(注釈、意見、アンダーラインなど)した場合に、原情報を多重に記憶させる必要がなくなり.全体として記憶容量を減少させることが可能となる。すなわち、逆の言い方をすれば、記憶情報量をあまり増加せしめることなく、ファイルを個人化することが可能となる。」
　　そして、実施例の説明中には、ＣＰＵが、文書の表題、キーワード、作成日、作成者、文書の大分類、中分類、小分類などの文書に関する情報をユーザに問い合わせ、その応答をメモリに一時記憶することが記載されている。
　
（エ）甲第４号証に記載されている発明
　　甲第４号証には、「文書画像通信におけるディジタル透かしの提案と署名への応用」と題する論文が記載されており、文書画像情報の冗長性を利用して情報の中に秘密の透かし情報を埋め込む際に従来から提案されている符号化方式を用いて実現する点、およびその安全性について検討した点が示されている。
　　そして、まえがき中には、「そこで、詳細写真データファイルなどから、画像を検索するために画像の特徴を抽出し、短いキーデータにしてファイル検索を容易にする研究がなされているが、文書画像そのものにＩＰの署名を施せば、検索の一手段とすることができる。」という記載がある。
　
（オ）甲第５号証に記載されている発明
　　甲第５号証には、「画像情報処理におけるマルチメディアデータベース」と題する論文が記載されており、応用分野からの要求機能も考慮した基本的技術について説明されている。そして、その検索や表示および出力についても説明されている。
　
(4)本件請求項１〜１０に係る発明の新規性・進歩性についての判断
　　本件各請求項にかかる発明は、複写機の画像データの元となったオリジナル原稿を容易に特定し探し出すことができるようにし、複写機によるドキュメントの複製などに際して、オリジナル原稿に基づく複製物の入手の容易化を図ることを目的としたものである。
　　そして、本件請求項１に係る発明は、複写物のオリジナル原稿の所在を容易に知ることができるようにするために請求項１に記載された事項からなるものであるが、甲第１号証〜甲第５号証には、複写物のオリジナル原稿の所在を容易に知ることができるようにするという着想は、明記も示唆もなされておらず、したがって、本件請求項１に係る発明を、これらに記載されたものともこれらの記載に基づいて当業者が容易に発明をすることができたものともいうことができない。
　　すなわち、甲第１号証に開示されているのは、ファクシミリ通信装置において、受信したもののうち自分宛のもの、あるいは、多数の受信原稿のうちから必要なものを容易に取り出すことができるようにしたものである。
　　甲第２号証開示技術は、特定の原稿について複写物から使用された機械もしくは複写した人物を特定できるようにすることを目的としたものであって、複写機に係るものである点で本件請求項１に係る発明と共通のものである。しかしながら、使用された機械もしくは複写した人物を特定するすなわち元の複写時の情報を知ることができるという点で結果的に見れば近似した点があるということができるが、本件請求項１に係る発明のように複写物のオリジナル原稿の所在、換言すれば出典の所在を知ることができるようにするという点は明記も示唆もなされていない。
　　甲第３号証には、入出力を繰返しても画像劣化を起こさず、また同種の文書を多重に記憶しなくてもすむファイリング装置に関する発明が開示されており、その具体的装置において、ＣＰＵが、文書の表題、キーワード、作成日、作成者、文書の大分類、中分類、小分類などの文書に関する情報をユーザに問い合わせ、その応答をメモリに一時記憶することが説明されている。
　しかしながら、この甲第３号証に開示されている発明は、文書を記憶保存するファイリングに関するもので、ファイリングされれば通常はオリジナル原稿を探す必要はないものであるから、この甲第３号証にも、本件請求項１に係る発明のようにオリジナル原稿の所在、換言すれば出典の所在を知ることができるようにするという点は明記は無論、示唆もなされていないというべきである。
　甲第４号証は、文書画像情報の不正な複製を防止し提供者の正当性を示すために、文書画像情報の中に提供者の署名を加えるというものであって、複製を防止することを目的の一つとしており、本件請求項１に係る発明のように複写（複製）することを目的にオリジナル原稿の所在、換言すれば出典の所在を知ることができるようにするという点は明記は無論、示唆もなされていないというべきである。
　甲第５号証には、その論文発表時までの画像処理関連技術について概括的説明がなされているが、この甲第５号証にも、本件請求項１に係る発明のようにオリジナル原稿の所在、換言すれば出典の所在を知ることができるようにするという点は明記も示唆もなされていない。
　したがって、本件請求項１に係る発明は甲第１号証〜甲第５号証に記載された発明とはいうことができないのみならず、これらをいかように組み合わせても、複写（複製）することを目的にオリジナル原稿の所在、換言すれば出典の所在を知ることができるようにするという着想は生じようがないものであるから、これらの記載から容易に推考できたものとは認めることができない。
　本件請求項２〜請求項６に係る発明は、請求項１に係る発明に更に限定が付加されたものであるから、甲第１号証〜甲第５号証に記載された発明から容易に推考できたものといえないことは明らかである。
　本件請求項７に係る発明は、複写機に係るものであって、請求項１に係る発明の各過程に相当する実行手段が特定されているものであるから、請求項１に係る発明についての判断と同様に、また、本件請求項８〜請求項１０に係る発明は、請求項７に係る発明に更に限定が付加されたものであるから、甲第１号証〜甲第５号証に記載された発明から容易に推考できたものといえないことは明らかである。
　
(5)むすび
　以上のとおり、特許異議申立の理由及び証拠によっては、本件請求項１〜請求項１０に係る発明の特許を取り消すことができない。
　また、他に本件請求項１〜請求項１０に係る発明の特許を取り消すべき理由を発見しない。
　よって、結論のとおり決定する。
【異議決定日】
平成１４年７月１８日（２００２．７．１８）
【訂正の要旨】
（ａ）　本件明細書の発明の名称、「画像処理方法および装置」を、明りょうでない記載の釈明を目的として、「複写機及び当該複写機において実行される画像処理方法」と訂正する。
（ｂ）　本件明細書の特許請求の範囲の請求項１に係る記載、
　「【請求項１】　符号画像データが含まれる画像データを入力し、入力された画像データを可視化して出力する画像処理方法において、
　入力された画像データに含まれる符号画像データを抽出する抽出ステップと、
　抽出された符号画像データに基づいて、当該画像データの元となったオリジナル原稿を探し出すための情報を出力する出力ステップと、
を有することを特徴とする画像処理方法。」
を、特許請求の範囲の減縮を目的として、
　「【請求項１】　オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において実行される画像処理方法において、
　入力された画像データに含まれる符号画像データを抽出する抽出ステップと、
　抽出された符号画像データに基づいて、当該画像データの元となったオリジナル原稿を探し出すための情報を出力する出力ステップと、
　を有することを特徴とする画像処理方法。」
と訂正する。
（ｃ）　本件明細書の特許請求の範囲の請求項７を、特許請求の範囲の減縮を目的として、削除する。
（ｄ）　本件明細書の特許請求の範囲の請求項８に係る記載、
　「【請求項８】　符号画像データが含まれる画像データを入力し、入力された画像データを可視化して出力する画像処理装置において、
入力された画像データに含まれる符号画像データを抽出する抽出手段と、
抽出された符号画像データに基づいて、当該画像データの元となったオリジナル原稿を探し出すための情報を表示する表示手段と、
を有することを特徴とする画像処理装置。」
を、特許請求の範囲の減縮を目的として、
　「【請求項７】　オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において、
　入力された画像データに含まれる符号画像データを抽出する抽出手段と、
　抽出された符号画像データに基づいて、当該画像データの元となったオリジナル原稿を探し出すための情報を表示する表示手段と、
　を有することを特徴とする複写機。」
と訂正する。
（ｅ）　本件明細書の特許請求の範囲の請求項９に係る記載、
　「【請求項９】　請求項８記載の画像処理装置において、さらに、
オリジナル原稿毎に当該オリジナル原稿を探し出すための情報を記憶する記憶手段を備え、
前記符号画像データに基づいて、前記画像データの元となったオリジナル原稿を探し出すための情報を前記記憶手段から検索し、検索された情報を前記表示手段により表示することを特徴とする画像処理装置。」
を、特許請求の範囲の減縮を目的として、
　「【請求項８】　請求項７記載の複写機において、さらに、
　オリジナル原稿毎に当該オリジナル原稿を探し出すための情報を記憶する記憶手段を備え、
　前記符号画像データに基づいて、前記画像データの元となったオリジナル原稿を探し出すための情報を前記記憶手段から検索し、検索された情報を前記表示手段により表示することを特徴とする複写機。」
と訂正する。
（ｆ）　本件明細書の特許請求の範囲の請求項１０に係る記載、
　「【請求項１０】　請求項９記載の画像処理装置において、
　前記記憶手段はオリジナル原稿毎に当該オリジナル原稿を探し出すための情報を識別コードに対応して記憶し、前記符号画像データは前記識別コードを符号化したものであり、
　前記表示手段は符号画像データから識別コードを復元する復元手段を含み、前記表示手段は復元された識別コードに対応付けられたオリジナル原稿を探し出すための情報を前記記憶手段から検索し、検索された情報を表示することを特徴とする画像処理装置。」
を、特許請求の範囲の減縮を目的として、
　「【請求項９】　請求項８記載の複写機において、
　前記記憶手段はオリジナル原稿毎に当該オリジナル原稿を探し出すための情報を識別コードに対応して記憶し、
　前記符号画像データは前記識別コードを符号化したものであり、
　前記表示手段は符号画像データから識別コードを復元する復元手段を含み、
　前記表示手段は復元された識別コードに対応付けられたオリジナル原稿を探し出すための情報を前記記憶手段から検索し、検索された情報を表示することを特徴とする複写機。」
と訂正する。
（ｇ）　本件明細書の特許請求の範囲の請求項１１に係る記載、
　「【請求項１１】　請求項１０記載の画像処理装置において、さらに、
外部から与えられるオリジナル原稿を探し出すための情報を受け入れる情報入力手段と、
受け入れたオリジナル原稿を探し出すための情報に識別コードを付与し、当該情報と当該識別コードとを対応付けて前記記億手段に記憶する記憶制御手段と、
を備えたことを特徴とする画像処理装置。」
を、特許請求の範囲の減縮を目的として、
　「【請求項１０】　請求項９記載の複写機において、さらに、
　外部から与えられるオリジナル原稿を探し出すための情報を受け入れる情報入力手段と、
　受け入れたオリジナル原稿を探し出すための情報に識別コードを付与し、当該情報と当該識別コードとを対応付けて前記記憶手段に記憶する記憶制御手段と、
　を備えたことを特徴とする複写機。」
と訂正する。
（ｈ）　本件明細書の発明の詳細な説明の段落番号０００１の記載、
　「【発明の属する技術分野】
　本発明は、ハードコピー画像の複製などに際して好適な新規の画像処理方法および装置に関する。」
を、明りょうでない記載の釈明を目的として、
　「【発明の属する技術分野１
　本発明は、ハードコピー画像の複製などに際して好適な新規の複写機及び当該複写機において実行される画像処理方法に関する。」
と訂正する。
（ｉ）　本件明細書の発明の詳細な説明の段落番号００１０の記載、
　「【００１０】
　【課題を解決するための手段】
　上記の目的を達成するために、本発明に係る方法は、符号画像データが含まれる画像データを入力し、入力された画像データを可視化して出力する画像処理方法において、入力された画像データに含まれる符号画像データを抽出する抽出ステップと、抽出された符号画像データに基づいて、当該画像データの元となったオリジナル原稿を探し出すための情報を出力する出力ステップと、を有する。好ましい実施形態によると、前記出力ステップにおいて、オリジナル原稿を探し出すための情報を、抽出された符号画像データに基づき、ネットワークを介して接続された外部の機器から受け取って出力する。また、前記出力ステップにおいて、オリジナル原稿を探し出すための情報を表示手段により表示する。また、前記出力ステップにおいて、前記表示手段による表示は、前記画像データの可視化の前に行われる。また、前記画像データの入力は、原稿を読み取ることにより行われる。また、前記符号画像データの抽出は、前記画像データの濃度に基づいて行われる。また、前記符号画像データは、可視化して出力される画像データの一部に組み入れるように埋め込まれている。」
を、明りょうでない記載の釈明を目的として、
　「【００１０】
　【課題を解決するための手段】
　上記の目的を達成するために、本発明に係る方法は、オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において実行される画像処理方法において、入力された画像データに含まれる符号画像データを抽出する抽出ステップと、抽出された符号画像データに基づいて、当該画像データの元となったオリジナル原稿を探し出すための情報を出力する出力ステップと、を有する。好ましい実施形態によると、前記出力ステップにおいて、オリジナル原稿を探し出すための情報を、抽出された符号画像データに基づき、ネットワークを介して接続された外部の機器から受け取って出力する。また、前記出力ステップにおいて、オリジナル原稿を探し出すための情報を表示手段により表示する。また、前記出力ステップにおいて、前記表示手段による表示は、前記画像データの可視化の前に行われる。また、前記画像データの入力は、原稿を読み取ることにより行われる。また、前記符号画像データの抽出は、前記画像データの濃度に基づいて行われる。」
と訂正する。
（ｊ）　本件明細書の発明の詳細な説明の段落番号００１１の記載、
　「【００１１】
　本発明に係る装置は、符号画像データが含まれる画像データを入力し、入力された画像データを可視化して出力する画像処理装置において、入力された画像データに含まれる符号画像データを抽出する抽出手段と、抽出された符号画像データに基づいて、当該画像データの元となったオリジナル原稿を探し出すための情報を表示する表示手段と、を有する。好ましい実施形態によると、さらに、オリジナル原稿毎に当該オリジナル原稿を探し出すための情報を記憶する記憶手段を備え、前記符号画像データに基づいて、前記画像データの元となったオリジナル原稿を探し出すための情報を前記記憶手段から検索し、検索された情報を前記表示手段により表示することを特徴とする。また、前記記憶手段はオリジナル原稿毎に当該オリジナル原稿を探し出すための情報を識別コードに対応して記憶し、前記符号画像データは前記識別コードを符号化したものであり、前記表示手段は符号画像データから識別コードを復元する復元手段を含み、前記表示手段は復元された識別コードに対応付けられたオリジナル原稿を探し出すための情報を前記記憶手段から検索し、検索された情報を表示することを特徴とする。」
を、明りょうでない記載の釈明を目的として、
　「【００１１】
　本発明に係る装置は、オリジナル原稿を探し出すための情報又は当該情報に対応する識別コードを符号化したものであって画像の一部に目立たないように組み入れられた埋込み画像となるべき符号画像データが含まれる画像データを入力し、入力された画像データを可視化して出力する複写機において、入力された画像データに含まれる符号画像データを抽出する抽出手段と、抽出された符号画像データに基づいて、当該画像データの元となったオリジナル原稿を探し出すための情報を表示する表示手段と、を有する。好ましい実施形態によると、さらに、オリジナル原稿毎に当該オリジナル原稿を探し出すための情報を記憶する記憶手段を備え、前記符号画像データに基づいて、前記画像データの元となったオリジナル原稿を探し出すための情報を前記記憶手段から検索し、検索された情報を前記表示手段により表示することを特徴とする。また、前記記億手段はオリジナル原稿毎に当該オリジナル原稿を探し出すための情報を識別コードに対応して記憶し、前記符号画像データは前記識別コードを符号化したものであり、前記表示手段は符号画像データから識別コードを復元する復元手段を含み、前記表示手段は復元された識別コードに対応付けられたオリジナル原稿を探し出すための情報を前記記憶手段から検索し、検索された情報を表示することを特徴とする。」
と訂正する。
（ｋ）　本件明細書の発明の詳細な説明の段落番号００６２の記載、
　「【００６２】
　【発明の効果】
　本発明によると、画像データの元となったオリジナル原稿を容易に特定し探し出すことができ、複写機によるドキュメントの複製などに際して、オリジナル原稿に基づく複製物の入手の容易化を図ることができる。また、請求項９に記載の画像処理装置によると、オリジナル原稿を探し出すための情報自体を符号画像として複製原稿に合成しておく必要がなく、オリジナル原稿を探し出すための情報自体が比較的大容量である場合に好都合である。」
を、明りょうでない記載の釈明を目的として、
　「【００６２】
　【発明の効果】
　本発明によると、画像データの元となったオリジナル原稿を容易に特定し探し出すことができ、複写機によるドキュメントの複製などに際して、オリジナル原稿に基づく複製物の入手の容易化を図ることができる。また、請求項８に記載の複写機によると、オリジナル原稿を探し出すための情報自体を符号画像として複製原稿に合成しておく必要がなく、オリジナル原稿を探し出すための情報自体が比較的大容量である場合に好都合である。」
と訂正する。
（ｌ）　本件明細書の発明の詳細な説明の段落番号００６３の記載、
　「【００６３】
　更に、請求項１０に記載の画像処理装置によると、符号画像として複製原稿に合成する情報量を小さくすることが容易であり、オリジナル原稿を探し出すための情報自体が比較的大容量である場合に更に好都合である。また、情報量が小さい符号画像とすることが容易である故、複製原稿に複数の符号画像を埋め込むことが容易となり、この場合、複製原稿から符号画像を復元する精度を向上することが可能となる。更にまた、請求項１１に記載の画像処理装置によると、既存のオリジナル原稿だけでなく、新規のオリジナル原稿についても適時にオリジナル原稿を探し出すための情報を追加することができる。」
を、明りょうでない記載の釈明を目的として、
　「【００６３】
　更に、請求項９に記載の複写機によると、符号画像として複製原稿に合成する情報量を小さくすることが容易であり、オリジナル原稿を探し出すための情報自体が比較的大容量である場合に更に好都合である。また、情報量が小さい符号画像とすることが容易である故、複製原稿に複数の符号画像を埋め込むことが容易となり、この場合、複製原稿から符号画像を復元する精度を向上することが可能となる。更にまた、請求項１０に記載の複写機によると、既存のオリジナル原稿だけでなく、新規のオリジナル原稿についても適時にオリジナル原稿を探し出すための情報を追加することができる。」
と訂正する。
（５４）【発明の名称】
複写機及び当該複写機において実行される画像処理方法
（５７）【特許請求の範囲】
　【請求項１】　
オリジナル原稿を探し出すための情報又は当該情報に対応する識別コードを符号化したものであって画像の一部に目立たないように組み入れられた埋込み画像となるべき
複写機において実行される
　入力された画像データに含まれる符号画像データを抽出する抽出ステップと、
　抽出された符号画像データに基づいて、当該画像データの元となったオリジナル原稿を探し出すための情報を出力する出力ステップと、
　を有することを特徴とする画像処理方法。
　【請求項２】　前記出力ステップにおいて、オリジナル原稿を探し出すための情報を、抽出された符号画像データに基づき、ネットワークを介して接続された外部の機器から受け取って出力する、
　請求項１記載の画像処理方法。
　【請求項３】　前記出力ステップにおいて、オリジナル原稿を探し出すための情報を表示手段により表示する、
　請求項１または２記載の画像処理方法。
　【請求項４】　前記出力ステップにおいて、前記表示手段による表示は、前記画像データの可視化の前に行われる、
　請求項３記載の画像処理方法。
　【請求項５】　前記画像データの入力は、原稿を読み取ることにより行われる、
　請求項１ないし４のいずれかに記載の画像処理方法。
　【請求項６】　前記符号画像データの抽出は、前記画像データの濃度に基づいて行われる、
　請求項１記載の画像処理方法。
　【請求項７】　
オリジナル原稿を探し出すための情報又は当該情報に対応する識別コードを符号化したものであって画像の一部に目立たないように組み入れられた埋込み画像となるべき
複写機
　入力された画像データに含まれる符号画像データを抽出する抽出手段と、
　抽出された符号画像データに基づいて、当該画像データの元となったオリジナル原稿を探し出すための情報を表示する表示手段と、
　を有することを特徴とする
複写機
　【請求項８】　請求項
７
複写機
　オリジナル原稿毎に当該オリジナル原稿を探し出すための情報を記憶する記憶手段を備え、
　前記符号画像データに基づいて、前記画像データの元となったオリジナル原稿を探し出すための情報を前記記憶手段から検索し、検索された情報を前記表示手段により表示することを特徴とする
複写機
　【請求項９】　請求項
８
複写機
　前記記憶手段はオリジナル原稿毎に当該オリジナル原稿を探し出すための情報を識別コードに対応して記憶し、
　前記符号画像データは前記識別コードを符号化したものであり、
　前記表示手段は符号画像データから識別コードを復元する復元手段を含み、
　前記表示手段は復元された識別コードに対応付けられたオリジナル原稿を探し出すための情報を前記記憶手段から検索し、検索された情報を表示することを特徴とする
複写機
　【請求項１０】　請求項
９
複写機
　外部から与えられるオリジナル原稿を探し出すための情報を受け入れる情報入力手段と、
　受け入れたオリジナル原稿を探し出すための情報に識別コードを付与し、当該情報と当該識別コードとを対応付けて前記記憶手段に記憶する記憶制御手段と、
　を備えたことを特徴とする
複写機
【発明の詳細な説明】
　【０００１】
　【発明の属する技術分野】
　本発明は、ハードコピー画像の複製などに際して好適な新規の
複写機及び当該複写機において実行される画像処理方法
　【０００２】
　【従来の技術】
　電子写真式の複写機は、種々のドキュメントをその場で手軽に必要数だけ複製することができることから、各種の業務及び個人的用途に広く利用されている。
　【０００３】
　一方、複写機の性能の向上と並行して付加機能の開発が絶え間なく続けられており、既に様々な付加機能が実用化されている。例えば、最後に読み取った画像情報を半導体メモリによって記憶しておき、再コピーに際して原稿の読み取りを省略して高速化を図るメモリモードコピー機能、外部の管理装置へ使用状況やメンテナンスの要否などを通知する通信機能を備えた複写機が知られている。
　【０００４】
　また、機密の流出を抑えるために、複写の日時や複写機番号といった流出ルート探索情報を符号化し、肉眼での判別ができないように複写画像に埋め込むプリント制御手法が提案されている。
　【０００５】
　【発明が解決しようとする課題】
　ところで、複写機の利用に際して複写の対象となる原稿は、オリジナル原稿と、それの複写によって得られる複製原稿とに大別される。ここで、オリジナル原稿とは、複写機の使用者（ユーザー）によるドキュメント管理上の原本を意味する。通常、オリジナル原稿は、書籍を含む各種の印刷物、プリンタによる印字物、及び手書き文書といった、複写機によらずに作成されたドキュメントである。ただし、他の複写機によって作成されたドキュメントがオリジナル原稿となる場合もある。
　【０００６】
　さて、例えば一般のオフィスにおいては、複写機による複製物の回覧や配布が頻繁に行われ、複製物からさらに複製物を作成する場合（つまり複製原稿の複写を行う場合）が多い。オリジナル原稿の複製物（１次複製物）は子コピーと呼称され、子コピーの複製物（２次複製物）は孫コピーと呼称されている。
　【０００７】
　このような場合において、電子写真プロセスの画像再現性は高いものの、複製を繰り返す毎に画質は徐々に劣化し、子コピーと比べて孫コピーの画質は若干ではあるが見劣りがする。
　【０００８】
　そこで、手元の原稿が複製原稿であるとき、複製原稿に代えてオリジナル原稿を用い、画質の良好な子コピーを得たいという状況がしばしば発生する。しかし、従来では、オリジナル原稿の保管場所（又は保管者）を容易に知ることができず、オリジナル原稿を探し出す作業が面倒であるという問題があった。また、既にオリジナル原稿が廃棄されている場合には、子コピーを得ることが不可能であるという問題もあった。
　【０００９】
　本発明は、上述の問題に鑑み、画像データの元となったオリジナル原稿を容易に特定し探し出すことができるようにし、複写機によるドキュメントの複製などに際して、オリジナル原稿に基づく複製物の入手の容易化を図ることを目的としている。
　【００１０】
　【課題を解決するための手段】
　上記の目的を達成するために、本発明に係る方法は、
オリジナル原稿を探し出すための情報又は当該情報に対応する識別コードを符号化したものであって画像の一部に目立たないように組み入れられた埋込み画像となるべき
複写機において実行される
　【００１１】
　本発明に係る装置は、
オリジナル原稿を探し出すための情報又は当該情報に対応する識別コードを符号化したものであって画像の一部に目立たないように組み入れられた埋込み画像となるべき
複写機
　【００１２】
　さらに、外部から与えられるオリジナル原稿を探し出すための情報を受け入れる情報入力手段と、受け入れたオリジナル原稿を探し出すための情報に識別コードを付与し、当該情報と当該識別コードとを対応付けて前記記憶手段に記憶する記憶制御手段と、を備えたことを特徴とする。オリジナル原稿を探し出すための情報は、複製原稿の複製元であるオリジナル原稿の名称や保管場所など、オリジナル原稿を探し出す作業を容易化する情報である。オリジナル原稿を探し出すための情報は、実施形態における照会情報に対応する。したがって、これを照会情報ということがある。処理対象となる原稿がオリジナル原稿を複製した複製原稿である場合、画像読取手段から出力される画像データ中には照会情報を指し示す符号画像データが含まれる。つまり、複製原稿は、原画像と照会情報を指し示す符号画像とを合成した画像を有する。この符号画像は、複製原稿の画像中に裸眼では認識不可能な形態で合成されていることが好ましい。照会情報自体は、装置に設けられた記憶手段に予め記憶されていても良い。また、複製原稿に含まれる符号画像は、照会情報自体を符号画像化したものであってもよいが、照会情報に対応して付された識別コードを符号画像化したものであってもよい。更に、照会情報は外部から入力されてもよく、この場合、照会情報はオペレータによるキー操作、又はオリジナル原稿に備わる発信機による無線通信、外部装置とのネットワーク通信などによって入力される。
　【００１３】
　抽出手段は、入力された画像データに含まれる符号画像データを抽出する。出力手段は、抽出された符号画像データに基づいて、当該画像データの元となったオリジナル原稿を探し出すための情報を出力する。オリジナル原稿を探し出すための情報として、書籍名、書籍コード、及び保管者などがある。記憶手段はオリジナル原稿毎に照会情報を予め記憶しており、表示手段は前記符号画像データに基づいて複製原稿に対応するオリジナル原稿の照会情報を前記記憶手段から検索して当該照会情報を表示する。前記記憶手段はオリジナル原稿毎に照会情報を識別コードに対応して記憶する一方、前記表示手段に含まれる復元手段は符号画像データから識別コードを復元し、表示手段は復元された識別コードに対応付けられた照会情報を前記記憶手段から検索して当該照会情報を表示する。情報入力手段は外部から与えられる照会情報を受け入れ、記憶制御手段は受け入れた照会情報に識別コードを付与し、当該照会情報と当該識別コードとを対応付けて前記記憶手段に記憶する。
　【００１４】
　【実施例】
　図１は本発明に係る複写機１の機能上の構成を示すブロック図である。なお、図１において、実線矢印は画像情報に対応した信号の流れを示し、破線矢印は照会情報に対応した信号の流れを示している。
　【００１５】
　複写機１は、全体制御部１０によって動作が規定されるデジタル複写機であって、原稿の画像を用紙上に再現する画像情報再生装置（つまり複写装置）としての利用の他に、原稿の複写元（例えば原稿が書籍のコピーであれば、その書籍）を知る照会のための画像情報識別装置としての利用が可能である。そして、画像の再現に際して、原稿が複製原稿であっても、オリジナル原稿の場合と同等の画質の複写画像を形成する機能、すなわち常に子コピーを作成する機能を複写機１は有している。
　【００１６】
　情報読取り部１１は、原稿の画像情報を画素に細分化して読み取り、８ビット（２５６階調）の画像データＤに変換して出力する。また、情報読取り部１１は、特定の原稿に取り付けられた発信器が発する電波信号を受信して復調し、それによって得られた照会情報（原稿の名称や保管場所などを示す情報）Ｘを出力する、なお、以下の説明では、オリジナル原稿に対応する画像データＤを画像データＤｏとし、複製原稿に対応する画像データＤを画像データＤｃとして両者を区別することがある。
　【００１７】
　画像データＤは画像メモリ１２へ転送されて一時的に記憶される。なお、画像メモリ１２では、オリジナル原稿の画像と後述の埋め込み画像とが合成される。プリント部１３は、画像メモリ１２で合成された画像を周知の電子写真プロセスによって用紙上に再現する。
　【００１８】
　操作パネル部１４は、マンマシンインタフェースであり、オペレータによるキー操作に応じた入力信号を出力する操作部１４Ａ、及び各種の情報を表示する表示部１８Ｂとを有する。なお、オペレータは操作部１４Ａを介して照会情報Ｘを入力することができる。
　【００１９】
　記憶部１５は例えばハードディスク装置からなり、オリジナル原稿毎に所定容量のメモリ領域ＭＥを割り当て、照会情報Ｘ及び画像データＤｏを識別コード（識別番号）Ｎに対応づけて記憶するために設けられている。
　【００２０】
　画像判別部１６は、埋込み画像の有無によって原稿を複製原稿とオリジナル原稿とに判別し、埋込み画像を有した複製原稿のときには、画像データＤｃの中から埋込み画像に対応した埋込み画像データＤＮを抽出する。
　【００２１】
　ここで、埋込み画像は、識別コードＮを符号化した画像であって、オリジナル原稿の複写時に複写画像の中に目立たないように埋め込まれた画像である。つまり、本実施例の複写機１においては、オリジナル原稿の複写に際して、原稿の画像（オリジナル画像）をそのまま用紙上に再現せずに、オリジナル画像と埋込み画像とを合成した画像を用紙にプリントする。これにより、複写機１による複製物（子コピー）には、画像情報の形でオリジナル原稿の識別情報（識別コードＮ）が含まれることになり、子コピーを複写の原稿としたときに、複写機１が子コピーを複製原稿として認識することができる。
　【００２２】
　埋込み情報復元部１７は、埋込み画像データＤＮから所定ビット数（本実施例では１２８ビット）の識別コードＮを復元（復号化）する。比較部１８は、記憶部１５の記憶内容を検索し、復元された識別コードＮと値の一致する識別コードＮを格納したメモリ領域ＭＥを選び出す。このとき選び出されたメモリ領域ＭＥの照会情報Ｘは、表示部１４Ｂへ転送されて画面表示される。照会情報Ｘが表示された時点で、オペレータは複写を中止してもよい。つまり、その場合は複写機１を画像情報識別装置として利用したことになる。
　【００２３】
　埋込み情報作成部１９は、原稿がオリジナル原稿である場合に、そのオリジナル原稿に対して識別コードＮを付与する。埋込み画像作成部２０は、埋込み情報作成部１９又は記憶部１５から受け取った識別コードＮを符号化して埋込み画像データＤＮを作成し、画像メモリ１２内の画像データＤｏを部分的に変更することによって、オリジナル画像と埋込み画像とを合成する。なお、この時点において、複製原稿の場合には、画像メモリ１２内で画像データＤｃが記憶部１５から転送された画像データＤｏと置き換えられている。
　【００２４】
　通信管理部２１は、複写機１と同等の機能を有する他の複写機とのネットワーク通信を担い、複写機間の情報交換を実現する。図２は全体制御部１０の構成を示すブロック図である。
　【００２５】
　全体制御部１０は、ＣＰＵ１０１、プログラムを格納したＲＯＭ１０２、プログラムの実行のワークエリアとなるＲＡＭ１０３、及び制御信号や各種データの送受のための入出力インタフェース１０４から構成されている。
　【００２６】
　図３は図１の情報読取り部１１の構成を示すブロック図である。情報読取り部１１は、ＣＰＵを中心としたＩＲ制御部１１１、原稿面に沿って移動するスキャナを有したライン走査機構１１２、原稿からの反射光の光電変換及び量子化によって画像データＤを生成するイメージ読取り部１１３、照会情報読取り部１１４、原稿を読取り位置へ搬送する自動原稿搬送装置（ＡＤＦ）１１５、画像データＤを出力するための画像出力インタフェース１１６、及び照会情報Ｘを出力するための照会情報出力インタフェース１１７から構成されている。
　【００２７】
　図４は図３の照会情報読取り部１１４の構成を示すブロック図である。照会情報誌取り部１１４は、原稿台ガラス３０の表面に設けられた透明導電体からなるアンテナ３１、電波信号を復調する受信部３２、復調信号を所定フォーマットの照会情報Ｘに変換する信号変換部３３から構成されている。
　【００２８】
　図４の例では、原稿台ガラス３０上に原稿として書籍Ｂが載置されている。この書籍Ｂには、書籍名や書籍コードを内容とする照会情報Ｘを電波信号として発する発信器８０が取り付けられている。
　【００２９】
　アンテナ３１は発信器８０の発する電波信号を受信して受信部３２へ送る。つまり、照会情報読取り部１１４は、ワイヤレス方式で照会情報Ｘを受け取るために設けられており、発信器８０を有していない一般の原稿が載置されたときには無用となる。なお、電波信号の受信は、露光ランプ点灯時のノイズに起因した受信障害を避けるため、原稿走査（スキャン）の以前に行うのが望ましい。また、アンテナ３１をスキャナに取り付け、露光ランプを点灯せずに予備スキャンを実施して電波信号を受信してもよい。
　【００３０】
　図５は図３のＩＲ制御部１１１の概略の動作を示すフローチャートである。ＩＲ制御部１１１は、内部のレジスタなどを初期化した後、ＣＰＵ１０１からの起動要求を待つ（＃１，２）。起動要求を受けると、ワイヤレス受信処理及び照会情報出力処理を順に実行する（＃３，４）。そして、画像要求を受けると、画像データＤを出力するスキャン処理を実行する（＃５，６）。
　【００３１】
　図６は図１の操作パネル部１４の構成を示すブロック図である。操作パネル部１４は、ＣＰＵを中心としたＯＰ制御部１４１、液晶ディスプレイ１４２と操作キー群１４３とを有した操作パネルＯＰ、電池によりバックアップされた時刻管理用のタイマー１４４、及び信号伝送のためのインタフェース１４５などから構成されている。
　【００３２】
　図７は操作パネルＯＰのキー配置の一例を示す平面図である。操作パネルＯＰには、液晶ディスプレイ１４２の下方に、操作キー群１４３として、スタートキー１４３０、リセットキー１４３１、及び照会情報Ｘや複写条件を入力するためのキャラクタキー１４３３が配置されている。
　【００３３】
　なお、図７の例では、液晶ディスプレイ１４２によって、書籍名及び保管者などの項目からなる照会情報Ｘと、複写動作の継続の要否についてオペレータに指示を仰ぐメッセージＺ１が表示されている。
　【００３４】
　次に、フローチャートに基づいて、複写機１の動作についてさらに詳しく説明する。図８は複写機１の制御を統括するＣＰＵ１０１の概略の処理内容を示すメインフローチャートである。
　【００３５】
　電源が投入されると、ＣＰＵ１０１は、まず内部のレジスタやＲＡＭ１０３の初期化を行い、続けて、電子写真プロセスを担う作像系のウォームアップを中心とした立上げ処理を実行して複写機１を待機状態とする（＃１１，１２）。
　【００３６】
　キー操作が行われるのを待ち、キー操作による照会情報Ｘの入力があれば、入力された照会情報Ｘを記憶する（＃１３，１４，１５）。コピー開始の指示、すなわちスタートキー１４３０の押下に呼応して上述の起動要求及び画像要求を順にＩＲ制御部１１１に送る情報読取り処理を実行する（＃１６，１７）。このとき、ＩＲ制御部１１１を介して照会情報Ｘを受けた場合には、キー操作による照会情報Ｘの入力の場合と同様に照会情報Ｘを記憶する。
　【００３７】
　次に、画像データＤの値を画素毎に調べて埋込み画像の有無を検知する画像判別を行い、埋込み画像が有れば、複製原稿対応処理を実行してステップ＃１３へ戻り、埋込み画像が無ければ、オリジナル原稿対応処理を実行してステップ＃１３へ戻る（＃１８，１９，２０，２１）。
　【００３８】
　図９は複製原稿対応処理のフローチャートである。このサブルーチンは、上述の説明から明らかなように複製原稿を読み取ったときに起動される。
　【００３９】
　ＣＰＵ１０１は、まず、埋込み画像データＤＮから識別コードＮを復元し、記憶内容の検索を行う（＃３１，３２）。検索結果がヒットの場合、すなわち復元した識別コードＮと値の一致する識別コードＮが記憶されている場合には、一致した識別コードＮに対応づけて記憶されている照会情報Ｘを液晶ディスプレイ１４２の画面上に表示する（＃３３，３６）。また、検索結果がノンヒットの場合には、ネットワーク接続されている他の複写機の記憶内容の検索を行う（＃３４，３５）。これにより、原稿が他の複写機で作成された子コピーであっても、その複写元のオリジナル原稿を特定する照会情報Ｘを表示することができる。
　【００４０】
　照会情報Ｘの表示に続いて、表示した照会情報Ｘと同一のメモリ領域ＭＥ内の画像データＤｏをＲＡＭ１０３から画像メモリ１２へ転送し、埋込み画像を作成してそれをオリジナル画像に埋め込む（＃３７，３８，３９）。
　【００４１】
　その後、図７に示したメッセージＺ１を表示して指示を待ち、スタートキー１４３０が押下された場合には、画像メモリ１２から画像データを読み出し、識別情報を含む複写画像を形成するプリント処理を実行し、リセットキー１４３１が押下された場合には、複写画像の形成を中止してメインルーチンへリターンする（＃４０，４１）。
　【００４２】
　図１０は図９の情報検索処理のフローチャートである。復元した識別コードＮと比較すべき識別コードＮが記憶情報の中にあれば、１つずつ順に比較し、値の一致する識別コードＮが見つかれば、それに対応づけて記憶されている画像データＤｏを読み出してＲＡＭ１０３に取り込む（＃３２１〜３３４）。
　【００４３】
　図１１は図８のオリジナル原稿対応処理のフローチャートである。このサブルーチンはオリジナル原稿を読み取ったときに起動される。ＣＰＵ１０１は、画像データＤｏをオリジナル画像情報として記憶し、このオリジナル画像情報及び以前に記憶した照会情報Ｘに対応づける識別コードＮの値を決定する（＃４１，４２）。
　【００４４】
　次に、識別コードＮを符号化した埋込み画像を作成し、画像メモリ内で埋込み画像とオリジナル画像とを合成する（＃４３，４４）。そして、子コピーを作成するためのプリント処理を実行してメインルーチンへリターンする（＃４５）。
　【００４５】
　図１２は図１１の識別コード決定処理のフローチャートである。識別コードＮの値を初期値から１つずつインクリメントし、未使用の値になれば、その値を新規に付与する識別コードＮの値として決定し記憶する（＃４２１〜４２５）。
　【００４６】
　ここで、複数の複写機１を信号線で結びネットワークを構成する場合には、各複写機１毎に識別コードＮの値の範囲を定めておけば、複写機間の情報交換に支障をきたすことはない。
　【００４７】
　次に、埋込み画像のオリジナル画像への埋込みについて具体的に説明する。本実施例において、埋込み画像の原情報である識別コードＮは、図１３（ａ）に示すように１２８ビット（１６バイト）の固定長の２値データである。ただし、この識別コードＮを可変長とし、メモリ領域ＭＥの数の増大に合わせてビット数を増大させることもできる。それによれば、埋込み画像の大きさを必要最小限とすることができる。
　【００４８】
　識別コードＮは、埋込み画像として複写画像中に隠される。つまり、埋込み画像は用紙の空白部ではなく、元の画像（埋め込む前の画像）の一部に目立たないように組み入れる形で設けられる。
　【００４９】
　このため、特に元の画像が文字画像の場合にも、埋込み画像の組入れを容易にするため、識別コードＮは１バイトずつ１６個のビット列に分割され、図１３（ｂ）に示すように、各ビット列毎に４ビットのブロック番号、２ビットのＭＳＢ、及び２ビットのＬＳＢを付け加えた１６個の埋込み情報ＮＩ（それぞれの長さは２バイト）が生成される。そして、これら埋込み情報ＮＩは複写画像中に分散配置される。なお、復元の誤りを防止するため、各埋込み情報ＮＩはそれぞれ少なくとも２箇所に配置される。
　【００５０】
　ブロック番号は、複製画像の読取りに際して、１６個の埋込み情報ＮＩを正しい順序で並べ、１６バイトの識別コードＮを復元するための情報である。また、ＭＳＢ及びＬＳＢは、埋込み画像と他の画像との識別を容易にするために設けられている。
　【００５１】
　図１４は１つの埋込み情報ＮＩに対応した埋込み画像Ｇｎｉの一例を示す図、図１５は埋込み画像Ｇｎｉを含む複写画像の一部を拡大して示す図である。図１４において、埋込み画像Ｇｎｉは、一方向に並ぶ３４個の画素ｇから構成されている。埋込み情報ＮＩの各ビットは、画素列の内の１つおきの画素に対応づけられており、各ビットの値が「０」であれば、対応する画素ｇの濃度は周辺の画素ｇと同一とされ、各ビットの値が「１」であれば、対応する画素ｇの濃度は周辺の画素ｇより若干淡い濃度とされている。
　【００５２】
　作像系が４００ｄｐｉの解像度を有する場合には、埋込み画像Ｇｎｉの長さは約２．３５ｍｍとなる。通常の文字画像であれば、この程度の大きさの暗色部は多数存在するので、図１５に示されるように、識別コードＮのｎ個分に相当する１６×ｎ個の埋込み画像Ｇｎｉを支障なく埋め込むことができる。
　【００５３】
　なお、埋込み画像Ｇｎｉは任意の位置に任意の向きで埋め込むことができる。また、汚れが生じたり部分的な切り貼りが行われた場合にも識別コードＮの復元を可能とするため、互いに異なる方向に沿って多数組の埋込み画像Ｇｎｉを埋め込むこともできる。その場合、一部の埋込み情報ＮＩの復元に誤りが生じたときの配慮として、組数を奇数とし、多数決によって有効な識別コードＮを決定するのが望ましい。さらに、元の画像が中間調画像の場合などにおいて、埋込み画像Ｇｎｉの周辺の画素濃度を調整して見栄えを高め且つ識別を容易とすることができる。
　【００５４】
　上述の実施例においては、オリジナル原稿を読み取ったときの画像データＤｏをそのまま記憶しておき、プリントの時点で画像データＤｏと埋込み画像データＤＮを合成するものとして説明したが、予め合成した画像データを記憶しておき、プリントに際して合成処理を省略して高速化を図ることができる。
　【００５５】
　上述の実施例においては、照会情報Ｘに対応する識別コードＮを符号化して複写画像に埋め込んだが、照会情報Ｘ自体を埋め込んでもよい。また、プリント用紙の表面端部や裏面など、元の画像と重ならない部位にオリジナル原稿を特定する情報をプリントしてもよい。そのとき、情報の形態は、所定濃度の画素パターンに限られず、バーコードなどの符号画像、又は数字画像のようにオペレータが容易に判読できる画像とすることができる。
　【００５６】
　上述の実施例において、各メモリ領域ＭＥについて選択の履歴を記憶しておけば、オリジナル原稿の利用頻度の集計が可能となり、利用頻度の高いドキュメントを取り出し易いように保管したり、利用の無いドキュメントを廃棄するといったドキュメント管理に複写機１を役立てることができる。
　【００５７】
　【発明の効果】
　本発明によると、画像データの元となったオリジナル原稿を容易に特定し探し出すことができ、複写機によるドキュメントの複製などに際して、オリジナル原稿に基づく複製物の入手の容易化を図ることができる。また、請求項
８
複写機
　【００５８】
　更に、請求項
９
複写機
１０
複写機
【図面の簡単な説明】
　【図１】　本発明に係る複写機の機能上の構成を示すブロック図である。
　【図２】　図１の全体制御部の構成を示すブロック図である。
　【図３】　図１の情報読取り部の構成を示すブロック図である。
　【図４】　図３の照会情報読取り部の構成を示すブロック図である。
　【図５】　図３のＩＲ制御部の概略の動作を示すフローチャートである。
　【図６】　図１の操作パネル部の構成を示すブロック図である。
　【図７】　操作パネルのキー配置の一例を示す平面図である。
　【図８】　複写機の制御を統括するＣＰＵの概略の処理内容を示すメインフローチャートである。
　【図９】　図８の複製原稿対応処理のフローチャートである。
　【図１０】　図９の情報検索処理のフローチャートである。
　【図１１】　図８のオリジナル原稿対応処理のフローチャートである。
　【図１２】　図１１の識別コード決定処理のフローチャートである。
　【図１３】　識別コードと埋込み情報との関係を示す図である。
　【図１４】　１つの埋込み情報に対応した埋込み画像の一例を示す図である。
　【図１５】　埋込み画像を含む複写画像の一部を拡大して示す図である。
　【符号の説明】
　１　複写機（画像処理装置）
　１１　情報読取り部（画像読取手段）
　１０　全体制御部（記憶制御手段、表示手段）
　１３　プリント部（画像形成手段）
　１４Ａ　操作部（情報入力手段）
　１４Ｂ　表示部（表示手段）
　１５　記憶部（記憶手段）
　１６　画像判別部（画像判別手段）
　１７　埋込み情報復元部（復元手段）
　１８　比較部（検索手段）
　Ｘ　照会情報
　Ｄｏ　画像データ（オリジナル原稿の画像データ）
　Ｄｃ　画像データ（複製原稿の画像データ）
　ＤＮ　符号画像データ
　Ｎ　識別コード